(57)【要約】【課題】突き上げ感の緩和を図るとともにスパイク金具の耐久性を向上させる。【解決手段】基板１１に爪１２が立ち上がる前記スパイク金具１０において、前記爪１２の先端１５から前記基板１１よりの立ち上がり部分１３までの一様な稜線１９の傾斜角度を持つ前記爪１２の形状から、前記爪の先端１５から前記基板よりの立ち上がり部分１３間の中点付近１６から、前記稜線１９の傾斜角度を前記爪１２の外側に向かって広げる様に変更し、かつ前記基板１１よりの立ち上がり部分１３の前記爪１２の最大幅１７でもって直近の前記アウトソールに締結されている貫通孔１４までの前記基板１１の形状を持たせる事により、前記従来の１．４〜２．０ｍｍ厚の鋼材を用いたスパイク金具と同程度もしくはそれ以上の耐曲げ応力及び耐ねじりモーメントを持たせ、運動時の地面に対しての前記爪１２の入射時の食いつきを保持しながら前記爪の立ち上がり部分と前記貫通孔部の間の前記基板の塑性変形及び前記脱落を防ぐ。【選択図】図１
2013198708.tif 000002
【特許請求の範囲】
【請求項１】
基板１１に爪１２が立ち上がる前記スパイク金具１０において、前記爪１２の先端１５から前記基板１１よりの立ち上がり部分１３までの一様な稜線１９の傾斜角度を持つ前記爪１２の形状から、前記爪の先端１５から前記基板よりの立ち上がり部分１３間の中点付近１６から、前記稜線１９の傾斜角度を前記爪１２の外側に向かって広げる様に変更し、かつ前記基板１１よりの立ち上がり部分１３の前記爪１２の最大幅１７でもって直近の前記アウトソールに締結されている貫通孔１４までの前記基板１１の形状を持たせる事を特徴とする野球シューズにおけるスパイク金具。
【請求項２】
１．１ｍｍ〜１．３ｍｍの焼入れ可能な鋼材からなる請求項１に記載の野球シューズにおけるスパイク金具。
【発明の詳細な説明】
【技術分野】
【０００１】本発明は、野球靴の靴裏面に設けられるスパイク金具に関する。
【背景技術】
【０００２】野球靴は、天然皮革、合成皮革などの素材からなる靴底（アウトソール）に足の甲を覆う甲被が靴の内底を形成する底敷（中底）と共に一体とされた構成であり、その靴底の下面（靴裏面）には複数のスパイクが突出して設けられている。
そのスパイクをなすスパイク金具は、アウトソールの下面に当てがわれる基板と、その基板から立ち上がる複数のスパイク爪とから成り、アウトソールに基板の貫通孔に通したねじ、釘又はリベットから成る締結具によって締結される。
前記スパイク付きの野球靴において、前記靴全体の軽量化による、地面へのエネルギーロスの削減及び足の疲労軽減の為に、前記金具の鋼材を従来の１．４〜２．０ｍｍから前記１．１〜１．３ｍｍとしながら前記爪の形状を平面視、Ｖ字型の形状にして前記従来の鋼材を用いた金具と同程度の前記爪部の強度を持たせる技術が知られている。
【先行技術文献】
【特許文献】
【０００３】
【特許文献１】特願２０１１−１００９７４
【発明の概要】
【発明が解決しようとする課題】
【０００４】前記スパイク金具付きの野球靴において、運動時に１．１〜１．３ｍｍ厚の鋼材からなる前記金具の上記Ｖ字形状の爪部に曲げ応力が加わった場合、爪部は前記従来の１．４〜２．０ｍｍ厚の鋼材を用いた金具と同程度の強度を確保出来るが、前記爪の前記基板よりの立ち上がり部分と直近の前記アウトソールに締結されている貫通孔間で、応力集中により前記１．４〜２．０ｍｍ厚の従来の鋼材を用いた金具より厚みが薄い分、弾性領域が減少し、前記爪の立ち上がり部分と前記貫通孔部の間を起点に、前記爪部の先端にかけて塑性変形が発生する。運動時に前記塑性変形後に繰り返し前記曲げ応力及び、回転運動によるねじりモーメントが加わった場合、前記爪の前記基板よりの立ち上がり部分と直近の前記アウトソールに締結されている貫通孔間で破断が起こり、前記破断部から前記爪部が前記野球靴より脱落するという問題が発生する。また、前記従来の従来の１．４〜２．０ｍｍ厚の鋼材を用いた金具においても、前記１．１〜１．３ｍｍ厚の鋼材よりは弾性領域は増加するが、前記爪の立ち上がり部分と前記貫通孔部の間の距離が長い場合において、前記塑性変形後に前記爪部に前記曲げ応力及び前記ねじりモーメントが繰り返し加わった場合は前記脱落が発生する。
前記塑性変形及び前記ねじりモーメントによる前記脱落を軽減するには、前記爪の立ち上がり部分と前記貫通孔部の間の距離を短くする事が有効であるが、前記基板の貫通孔に前記締結具のねじ、釘またはリベット頭が介在する為に難しい。
したがって現在でも前記スパイク金具付きの野球靴において、前記爪の立ち上がり部分と前記貫通孔部の間の前記塑性変形及び前記ねじりモーメントによる前記脱落を出来るだけ回避する為に前記従来の１．４〜２．０ｍｍ厚の鋼材を用いた従来のスパイク金具を使用する事が大半であり、以前からの課題である靴全体の重量の増加及び、前記従来金具の剛性の為に、使用者に痛みや違和感を与える、突き上げ作用が生じる。【０００５】本発明は、以上の実情の下、前記スパイク金具の鋼材を従来の厚み１．４〜２．０ｍｍ厚から１．１〜１．３ｍｍ厚とし、靴全体の軽量化及び前記突き上げ作用を軽減し、かつ運動時に上記爪部に曲げ応力が加わった場合でも前記従来の１．４〜２．０ｍｍ厚の鋼材を用いたスパイク金具と同程度もしくはそれ以上の耐曲げ応力及び耐ねじりモーメントを持たせ、運動時の地面へのグリップ力を保持しながら前記爪の立ち上がり部分と前記貫通孔部の間の前記基板の塑性変形及び前記脱落を防ぐ事が課題である。
【課題を解決するための手段】
【０００６】前記課題を達成するために、本発明は基板１１に爪１２が立ち上がる前記スパイク金具１０において、前記爪１２の先端１５から前記基板１１よりの立ち上がり部分１３までの一様な稜線１９の傾斜角度を持つ前記爪１２の形状から、前記爪の先端１５から前記基板よりの立ち上がり部分１３間の中点付近１６から、前記稜線１９の傾斜角度を前記爪１２の外側に向かって広げる様に変更し、かつ前記基板１１よりの立ち上がり部分１３の前記爪１２の最大幅１７でもって直近の前記アウトソールに締結されている貫通孔１４までの前記基板１１の形状を持たせる事により、前記従来の１．４〜２．０ｍｍ厚の鋼材を用いたスパイク金具と同程度もしくはそれ以上の耐曲げ応力及び耐ねじりモーメントを持たせ、運動時の地面に対しての前記爪１２の入射時の食いつきを保持しながら前記爪の立ち上がり部分と前記貫通孔部の間の前記基板の塑性変形及び前記脱落を防ぐ事を特徴とする。
【発明の効果】
【０００７】以上説明したように、本発明のスパイク金具は前記従来の１．４〜２．０ｍｍ厚の鋼材を用いたスパイク金具と同程度もしくはそれ以上の耐曲げ応力及び耐ねじりモーメントを持たせ、運動時の地面へのグリップ力を保持しながら前記爪の立ち上がり部分と前記貫通孔部の間の前記基板の塑性変形及び前記脱落を防止し、１．１〜１．３ｍｍ厚の鋼材で金具を形成する事が可能となるので、以前からの課題である前記靴全体の軽量化に伴う、地面へのエネルギーロスの削減及び足の疲労軽減、突き上げの防止が可能となる。
【図面の簡単な説明】
【図１】この発明に係る野球シューズにおけるスパイク金具
【発明を実施するための形態】
【０００８】以下、本発明の実施の形態を図面に基づいて説明する。
図１は、本発明によるスパイク金具１０を示しておりスパイク金具１０は、１．１〜１．３ｍｍ厚の焼入れ処理が可能な鋼材を打ち抜き、曲げ加工して形成され、アウトソールの下面に当てがわれる基板１１と、該基板１１に対してほぼ直角に立ち上がるＶ字形状の爪１２からなから成り、アウトソールに該基板１１の貫通孔１４に通したねじ、釘又はリベットから成る締結具によって締結される。
【０００９】本発明のスパイク金具は前記基板１１に前記爪１２が立ち上がる前記スパイク金具１０において、前記爪１２の先端１５から前記基板１１よりの立ち上がり部分１３までの一様な稜線１９の傾斜角度を持つ前記爪１２の形状から、前記爪の先端１５から前記基板よりの立ち上がり部分１３間の中点付近１６から、前記稜線１９の傾斜角度を前記爪１２の外側に向かって広げる様に変更し、かつ前記基板１１よりの立ち上がり部分１３の前記爪１２の最大幅１７でもって直近の前記アウトソールに締結されている貫通孔１４までの前記基板１１の形状を持たせる事を特徴とする。
【００１０】運動時、前記爪１２の先端に荷重が加わった際に、前記爪の直近の前記アウトソールに締結されている貫通孔１４を支点に前記爪１２の先端１５より前記基板１１に向かって曲げ応力が発生する。
【００１１】また回転運動を行った際には、前記爪１２の先端から前記爪の直近の前記アウトソールに締結されている貫通孔１４を支点に前記爪の先端１５から前記貫通孔１４間でねじりモーメントが発生する。
【００１２】一般的に鋼材の容積を大きくする事で、外的荷重及びねじりモーメントに対しての強度が向上する事が知られているが、前記スパイク金具においては前記爪１２を大きくする方法もしくは鋼材の厚みを取る方法が取られている。しかし、前記爪１２の容積を大きくする方法では地面に対しての前記爪１２の食いつきが悪化し、前記厚みをとる方法では、前記スパイク金具の重量が増加する事により靴全体の重量の増加による運動時の地面エネルギーロスや足の疲労増大、金具の剛性の為に使用者に痛みや違和感を与える、突き上げ作用が生じる原因となる。
【００１３】前記曲げ応力が前記スパイク金具の弾性領域以下の場合は前記基板１１内の前記立ち上がり部分１３と前記貫通孔１４の間の変形は弾性により、元の形状に復元するが、前記曲げ応力が前記スパイク金具の弾性領域を超えた時、前記基板１１内の前記立ち上がり部分１３と前記貫通孔１４の間で塑性変形が発生し、運動時に前記塑性変形後に繰り返し前記曲げ応力及び、回転運動によるねじりモーメントが加わった場合、前記爪１２の前記基板１１よりの立ち上がり部分１３と直近の前記アウトソールに締結されている前記貫通孔１４の間で破断が起こり、前記破断部から前記爪部が前記野球靴より脱落するという問題が発生する。
【００１４】前記脱落を防止する為に、本発明では前記基板１１に前記爪１２が立ち上がる前記スパイク金具１０において、前記爪１２の先端１５から前記基板１１よりの立ち上がり部分１３までの一様な稜線１９の傾斜角度を持つ前記爪１２の形状から、前記爪の先端１５から前記基板よりの立ち上がり部分１３間の中点付近１６から、前記稜線１９の傾斜角度を前記爪１２の外側に向かって広げる様に変更し、かつ前記基板１１よりの立ち上がり部分１３の前記爪１２の最大幅１７でもって直近の前記アウトソールに締結されている貫通孔１４までの前記基板１１の形状を持たせる事により、前記爪１２を大きくする方法もしくは鋼材の厚みを取る方法と同程度もしくはそれ以上の耐曲げ応力及び耐ねじりモーメントを持たせ、運動時の地面に対しての前記爪１２の入射時の食いつきを保持しながら前記爪の立ち上がり部分と前記貫通孔部の間の前記基板の塑性変形及び前記脱落を防止する事が可能となる。
【００１５】前記スパイク金具の塑性変形による破断を防ぐ手段として、鋼材の焼入れ硬度を従来の硬度より高く設定する方法もあるが、前記金具のじん性が低下し、疲労による破断及び脱落が発生する要因となるのであまり用いられない。
【００１６】前記爪１２中の前記中点付近１６の前記稜線１９の傾斜角度が変わる境界部及び、前記爪１２の最大幅１７を持つ前記基板１１と前記基板１１内の前記立ち上がり部分１３と前記貫通孔１４間以降の境界部１８は前記曲げ応力及び前記ねじりモーメントの局部集中を防止する為にＲ形状で連結される事が望ましい。
【符号の説明】
【００１７】１０  スパイク金具の斜視図
１１  基板
１２  爪
１３  爪の立ち上がり部
１４  貫通孔
１５  爪の先端
１６  爪と基板よりの立ち上がり部の中点付近
１７  爪の最大幅
１８  爪の最大幅を持つ基板と立ち上がり部分と前記貫通孔１４間以降の境界部
１９  爪の稜線
【図１】
2013198708.tif 000003